(57)【特許請求の範囲】
【請求項１】
ＳＰＳ（ｓｅｍｉ−ｐｅｒｓｉｓｔｅｎｔ  ｓｃｈｅｄｕｌｉｎｇ）ＰＤＳＣＨ（ｐｈｙｓｉｃａｌ  ｄｏｗｎｌｉｎｋ  ｓｈａｒｅｄ  ｃｈａｎｎｅｌ）およびダウンリンク（ＤＬ）ＤＡＩ（ｄｏｗｎｌｉｎｋ  ａｓｓｉｇｎｍｅｎｔ  ｉｎｄｅｘ）値が１に等しいＰＤＣＣＨ（ｐｈｙｓｉｃａｌ  ｄｏｗｎｌｉｎｋ  ｃｏｎｔｒｏｌ  ｃｈａｎｎｅｌ）のみがフィードバック・ウィンドウで受信されるとき、ＰＵＣＣＨフォーマット３を用いることによってＡＣＫ／ＮＡＣＫフィードバック情報を送信するように構成された、キャリア集約をサポートしない端末機器により、ＳＰＳ  ＰＤＳＣＨに対応するＡＣＫ／ＮＡＣＫフィードバック情報と、ＤＬ  ＤＡＩ値が１に等しいＰＤＣＣＨに対応するＡＣＫ／ＮＡＣＫフィードバック情報とを、チャネル選択またはＡＣＫ／ＮＡＣＫバンドル化を伴うＰＵＣＣＨフォーマット１ｂを用いて、ＰＵＣＣＨフォーマット１ａ／１ｂのリソースで送信するステップ
を含む、ＡＣＫ／ＮＡＣＫ送信のための方法。
【請求項２】
前記ＳＰＳ  ＰＤＳＣＨに対応するＡＣＫ／ＮＡＣＫフィードバック情報と前記ＤＬのＤＡＩ値が１に等しい前記ＰＤＣＣＨに対応する前記ＡＣＫ／ＮＡＣＫフィードバック情報とを、チャネル選択を伴うＰＵＣＣＨフォーマット１ｂを用いてＰＵＣＣＨフォーマット１ａ／１ｂのリソースで前記端末機器により送信するステップは、
ＡＣＫ／ＮＡＣＫ多重化送信に対するＬＴＥ−Ａマッピング・テーブルを用いることによって、送信すべき情報と、複数のＰＵＣＣＨフォーマット１ａ／１ｂのリソースから前記情報を送信するためのＰＵＣＣＨのリソースとを決定するステップと、
前記情報を決定した前記ＰＵＣＣＨのリソースで送信するステップと、
を含む、請求項１に記載の方法。
【請求項３】
前記ＬＴＥ−Ａ  ＡＣＫ／ＮＡＣＫ多重化送信マッピング・テーブルを用いることにより前記情報を基地局に送信するステップは、
Ａ＝２のＡＣＫ／ＮＡＣＫ多重化送信向けのＬＴＥ−Ａ  Ｒｅｌ−１０マッピング・テーブルを用いることによって、前記ＳＰＳ  ＰＤＳＣＨに対応するＡＣＫ／ＮＡＣＫフィードバック情報と前記ＤＬのＤＡＩ値が１に等しい前記ＰＤＣＣＨに対応する前記ＡＣＫ／ＮＡＣＫフィードバック情報とを送信するステップと、
前記端末機器がダウンリンクの多符号語送信で構成されるとき、空間バンドル化により２ビットでバンドル化されたＡＣＫ／ＮＡＣＫを生成するステップと、
を含む、請求項２に記載の方法。
【請求項４】
Ａ＝２のＬＴＥ−Ａ  Ｒｅｌ−１０のＡＣＫ／ＮＡＣＫ多重化送信マッピング・テーブルを用いることにより、前記ＳＰＳ  ＰＤＳＣＨに対応するＡＣＫ／ＮＡＣＫフィードバック情報と前記ＤＬのＤＡＩ値が１に等しい前記ＰＤＣＣＨに対応する前記ＡＣＫ／ＮＡＣＫフィードバック情報とを送信するステップは、
Ａ＝２のＬＴＥ−Ａ  Ｒｅｌ−１０のＡＣＫ／ＮＡＣＫ多重化送信マッピング・テーブル内のパラメータを、
ＨＡＲＱ−ＡＣＫ（０）が前記ＳＰＳ  ＰＤＳＣＨに対応するＡＣＫ／ＮＡＣＫフィードバック情報であり、
ＨＡＲＱ−ＡＣＫ（１）が前記ＤＬのＤＡＩ値が１に等しい前記ＰＤＣＣＨに対応する前記ＡＣＫ／ＮＡＣＫフィードバック情報であり、
【数１６】
0005823025.tif 000026
が前記ＳＰＳ  ＰＤＳＣＨに対応する前記ＰＵＣＣＨフォーマット１ａ／１ｂのリソースであり、
【数１７】
0005823025.tif 000027
を前記ＤＬ  ＤＡＩ値が１に等しい前記ＰＤＣＣＨにより占有される第１のＣＣＥのインデックスとして、
【数１８】
0005823025.tif 000028
が
【数１９】
0005823025.tif 000029
に従って決定された前記ＰＵＣＣＨフォーマット１ａ／１ｂのリソースである
ように決定するステップを含む、請求項３に記載の方法。
【請求項５】
ＬＴＥ−Ａ  Ｒｅｌ−１０のＡＣＫ／ＮＡＣＫ多重化送信マッピング・テーブルを用いることにより、前記情報を前記端末機器により基地局に送信するステップは、
前記端末機器がダウンリンクの単一の符号語送信で構成されるとき、前記端末機器により、Ａ＝２のＡＣＫ／ＮＡＣＫ多重化送信向けのＬＴＥ−Ａ  Ｒｅｌ−１０マッピング・テーブルを用いることによって、前記ＳＰＳ  ＰＤＳＣＨに対応するＡＣＫ／ＮＡＣＫフィードバック情報と前記ＤＬのＤＡＩ値が１に等しい前記ＰＤＣＣＨに対応する前記ＡＣＫ／ＮＡＣＫフィードバック情報とを送信するステップと、
前記端末機器がダウンリンクの多符号語送信で構成されるとき、前記端末機器により、Ａ＝３の前記ＬＴＥ−Ａ  Ｒｅｌ−１０  ＡＣＫ／ＮＡＣＫ  マッピング・テーブルを用いることによって、前記ＳＰＳ  ＰＤＳＣＨに対応するＡＣＫ／ＮＡＣＫフィードバック情報と前記ＤＬのＤＡＩ値が１に等しい前記ＰＤＣＣＨに対応する前記ＡＣＫ／ＮＡＣＫフィードバック情報とを送信するステップと、
を含む、請求項２に記載の方法。
【請求項６】
前記ＬＴＥ−Ａ  Ｒｅｌ−１０のＡＣＫ／ＮＡＣＫ多重化送信マッピング・テーブルを用いることにより前記情報を前記基地局に送信するステップは、Ａ＝２またはＡ＝３のＬＴＥ−Ａ  Ｒｅｌ−１０のＡＣＫ／ＮＡＣＫ多重化送信マッピング・テーブル内のパラメータを、
ＨＡＲＱ−ＡＣＫ（０）が前記ＳＰＳ  ＰＤＳＣＨに対応するＡＣＫ／ＮＡＣＫフィードバック情報であり、
ＨＡＲＱ−ＡＣＫ（１）が前記ＤＬのＤＡＩ値が１に等しい前記ＰＤＣＣＨの符号語１に対応するＡＣＫ／ＮＡＣＫフィードバック情報であり、
ＨＡＲＱ−ＡＣＫ（２）が前記ＤＬのＤＡＩ値が１に等しい前記ＰＤＣＣＨの符号語２に対応するＡＣＫ／ＮＡＣＫフィードバック情報であり、
【数２０】
0005823025.tif 000030
が前記ＳＰＳ  ＰＤＳＣＨに対応する前記ＳＰＳ  ＰＵＣＣＨフォーマット１ａ／１ｂのリソースであり、
【数２１】
0005823025.tif 000031
を前記ＤＬ  ＤＡＩ値が１に等しい前記ＰＤＣＣＨにより占有される第１のＣＣＥのインデックスとして、
【数２２】
0005823025.tif 000032
が
【数２３】
0005823025.tif 000033
に従って決定された前記ＰＵＣＣＨフォーマット１ａ／１ｂのリソースであり、
【数２４】
0005823025.tif 000034
が
【数２５】
0005823025.tif 000035
に従って決定された前記ＰＵＣＣＨフォーマット１ａ／１ｂのリソースである
ように決定するステップを含む、請求項５に記載の方法。
【請求項７】
ＡＣＫ／ＮＡＣＫバンドル化を用いて、前記ＳＰＳ  ＰＤＳＣＨに対応するＡＣＫ／ＮＡＣＫフィードバック情報と前記ＤＬのＤＡＩ値が１に等しい前記ＰＤＣＣＨに対応する前記ＡＣＫ／ＮＡＣＫフィードバック情報とを送信するステップは、
前記ＳＰＳ  ＰＤＳＣＨおよび前記ＤＬのＤＡＩ値が１に等しいＰＤＣＣＨにおいて同じインデックスを有する符号語に対応するＡＣＫ／ＮＡＣＫフィードバック情報をバンドル化するステップ、または、
前記端末機器により、前記ＳＰＳ  ＰＤＳＣＨに対応するＡＣＫ／ＮＡＣＫフィードバック情報と前記ＤＬのＤＡＩ値が１に等しい前記ＰＤＣＣＨに対応する前記ＡＣＫ／ＮＡＣＫフィードバック情報とを空間的にバンドル化するステップ
を含む、請求項１に記載の方法。
【請求項８】
前記ＳＰＳ  ＰＤＳＣＨに対応するＡＣＫ／ＮＡＣＫフィードバック情報と前記ＤＬのＤＡＩ値が１に等しい前記ＰＤＣＣＨに対応する前記ＡＣＫ／ＮＡＣＫフィードバック情報とをＰＵＣＣＨフォーマット１ａ／１ｂのリソースで送信するステップは、
前記端末機器により、前記ＤＬ  ＤＡＩ値が１に等しい前記ＰＤＣＣＨに対応するＰＵＣＣＨフォーマット１ａ／１ｂのリソースで、バンドル化された前記ＡＣＫ／ＮＡＣＫフィードバック情報を送信するステップを含む、請求項７に記載の方法。
【請求項９】
ＰＵＣＣＨ（ｐｈｙｓｉｃａｌ  ｕｐｌｉｎｋ  ｃｏｎｔｒｏｌ  ｃｈａｎｎｅｌ）フォーマット３を用いることによってＡＣＫ／ＮＡＣＫフィードバック情報を送信するように構成された、キャリア集約をサポートしない端末機器であって、
基地局により送信される情報を受信するように構成された受信モジュールと、
ＳＰＳ（ｓｅｍｉ−ｐｅｒｓｉｓｔｅｎｔ  ｓｃｈｅｄｕｌｉｎｇ）  ＰＤＳＣＨ  （ｐｈｙｓｉｃａｌ  ｄｏｗｎｌｉｎｋ  ｓｈａｒｅｄ  ｃｈａｎｎｅｌ）およびフィードバック・ウィンドウにおいて前記基地局により送信されたＤＬのＤＡＩ値が１に等しいＰＤＣＣＨ（ｐｈｙｓｉｃａｌ  ｄｏｗｎｌｉｎｋ  ｃｏｎｔｒｏｌ  ｃｈａｎｎｅｌ）のみを前記受信モジュールが受信したとき、チャネル選択またはＡＣＫ／ＮＡＣＫバンドル化を伴うＰＵＣＣＨフォーマット１ｂを用いて、受信した情報を処理するように構成された処理モジュールと、
前記処理モジュールによりバンドル化されたＡＣＫ／ＮＡＣＫフィードバック情報をＰＵＣＣＨフォーマット１ａ／１ｂのリソースで送信するように構成された送信モジュールと、
を備える、端末機器。
【請求項１０】
前記処理モジュールはさらに、
ＬＴＥ−Ａ  ＡＣＫ／ＮＡＣＫ多重化送信マッピング・テーブルを用いることによって、送信すべき情報を決定し、前記情報を送信するためのＰＵＣＣＨのリソースを複数のＰＵＣＣＨフォーマット１ａ／１ｂのリソースから決定し、
または、
前記ＳＰＳ  ＰＤＳＣＨおよび前記ＤＬのＤＡＩ値が１に等しいＰＤＣＣＨにおいて同じインデックスを有する符号語に対応するＡＣＫ／ＮＡＣＫフィードバック情報をバンドル化し、
または、
前記ＳＰＳ  ＰＤＳＣＨおよび前記ＤＬのＤＡＩ値が１に等しいＰＤＣＣＨに対応するＡＣＫ／ＮＡＣＫフィードバック情報を空間的にバンドル化する
ように構成された、請求項９に記載の端末機器。
【請求項１１】
前記送信モジュールはさらに、
前記処理モジュールがチャネル選択を伴う前記ＰＵＣＣＨフォーマット１ｂを使用するとき、前記処理モジュールにより決定される前記ＰＵＣＣＨのリソースで前記情報を送信し、
または、
前記処理モジュールが前記ＡＣＫ／ＮＡＣＫバンドル化を使用するとき、前記ＤＬのＤＡＩ値が１に等しいＰＤＣＣＨに対応するＰＵＣＣＨフォーマット１ａ／１ｂのリソースで、バンドル化されたＡＣＫ／ＮＡＣＫフィードバック情報を前記基地局に送信する
ように構成された、請求項１０に記載の端末機器。
【請求項１２】
前記処理モジュールはさらに、
前記端末機器がダウンリンクの単一の符号語送信で構成されるとき、Ａ＝２のＬＴＥ−Ａ  Ｒｅｌ−１０のＡＣＫ／ＮＡＣＫ多重化送信マッピング・テーブルを使用し、
前記端末機器がダウンリンクの多符号語送信で構成されるとき、Ａ＝３のＬＴＥ−Ａ  Ｒｅｌ−１０のＡＣＫ／ＮＡＣＫ多重化送信マッピング・テーブルを使用する
ように構成された、請求項１０に記載の端末機器。
【請求項１３】
前記処理モジュールはさらに、
Ａ＝２のＬＴＥ−Ａ  Ｒｅｌ−１０のＡＣＫ／ＮＡＣＫ多重化送信マッピング・テーブルを使用し、
前記端末機器がダウンリンクの多符号語送信で構成されるとき、空間バンドル化により、２−ビットのバンドル化されたＡＣＫ／ＮＡＣＫフィードバック情報を生成する
ように構成された、請求項１０に記載の端末機器。
【請求項１４】
ＳＰＳ（ｓｅｍｉ−ｐｅｒｓｉｓｔｅｎｔ  ｓｃｈｅｄｕｌｉｎｇ）ＰＤＳＣＨ（ｐｈｙｓｉｃａｌ  ｄｏｗｎｌｉｎｋ  ｓｈａｒｅｄ  ｃｈａｎｎｅｌ）およびダウンリンク（ＤＬ）  ＤＡＩ（ｄｏｗｎｌｉｎｋ  ａｓｓｉｇｎｍｅｎｔ  ｉｎｄｅｘ）値が１に等しいＰＤＣＣＨ（ｐｈｙｓｉｃａｌ  ｄｏｗｎｌｉｎｋ  ｃｏｎｔｒｏｌ  ｃｈａｎｎｅｌ）のみを基地局がフィードバック・ウィンドウで端末機器に送信するとき、チャネル選択またはＡＣＫ／ＮＡＣＫバンドル化を伴うＰＵＣＣＨフォーマット１ｂを介して処理され、ＰＵＣＣＨフォーマット３を用いてＡＣＫ／ＮＡＣＫフィードバック情報を送信するように構成された、キャリア集約をサポートしない前記端末機器によりＰＵＣＣＨ（ｐｈｙｓｉｃａｌ  ｕｐｌｉｎｋ  ｃｏｎｔｒｏｌ  ｃｈａｎｎｅｌ）フォーマット１ａ／１ｂリソースでフィードバックされたＡＣＫ／ＮＡＣＫフィードバック情報を、前記基地局により受信するステップ
を含む、ＡＣＫ／ＮＡＣＫ送信のための方法。
【請求項１５】
ＡＣＫ／ＮＡＣＫバンドル化を介して処理され、前記端末機器によりＰＵＣＣＨフォーマット１ａ／１ｂのリソースでフィードバックされたＡＣＫ／ＮＡＣＫフィードバック情報を前記基地局により受信するステップは、
前記フィードバック・ウィンドウにおいてＤＬ  ＤＡＩが１より大きいＰＤＣＣＨを前記基地局が前記端末機器に送信しなかったとき、前記基地局により、前記ＤＬのＤＡＩ値が１に等しいＰＤＣＣＨに対応するＰＵＣＣＨフォーマット１ａ／１ｂのリソースを介して前記ＡＣＫ／ＮＡＣＫフィードバック情報を受信するステップと、
前記基地局が前記フィードバック・ウィンドウにおいて前記ＤＬ  ＤＡＩが１より大きいＰＤＣＣＨも前記端末機器に送信したとき、前記基地局により、ＡＲＩが示すＰＵＣＣＨフォーマット３のリソースを監視し、ＡＣＫ／ＮＡＣＫバンドル化を介して処理された前記ＡＣＫ／ＮＡＣＫフィードバック情報と、ＤＬ  ＤＡＩが１より大きいＰＤＣＣＨに対応するＡＣＫ／ＮＡＣＫフィードバック情報とを、前記ＰＵＣＣＨフォーマット３のリソースを介して受信し、フィードバック情報が検出されなかった場合に、ＤＬ  ＤＡＩが１より大きいＰＤＣＣＨが紛失したと判定するステップと、
を含む、請求項１４に記載の方法。
【請求項１６】
前記基地局により、前記ＤＬ  ＤＡＩが１より大きいＰＤＣＣＨが紛失したと判定した後、
前記基地局により、前記ＳＰＳ  ＰＤＳＣＨが送信されたサブフレームと前記ＤＬのＤＡＩ値が１に等しいＰＤＣＣＨが送信されたサブフレームとの間で最後に送信されたサブフレームに対応するＰＵＣＣＨのリソースを監視し、前記端末機器によりフィードバックされＡＣＫ／ＮＡＣＫバンドル化により処理された前記ＡＣＫ／ＮＡＣＫフィードバック情報を、前記ＰＵＣＣＨのリソースを介して受信するステップ
をさらに含む、請求項１５に記載の方法。
【請求項１７】
前記基地局により、前記端末機器によりフィードバックされＡＣＫ／ＮＡＣＫバンドル化により処理された前記ＡＣＫ／ＮＡＣＫフィードバック情報をＰＵＣＣＨフォーマット１ａ／１ｂのリソースで受信するステップは、
前記フィードバック・ウィンドウにおいてＤＬ  ＤＡＩが１より大きいＰＤＣＣＨを前記基地局が前記端末機器に送信しなかったとき、前記端末機器によりフィードバックされＬＴＥ−Ａ  ＡＣＫ／ＮＡＣＫ多重化送信マッピング・テーブルに従ってチャネル選択を伴うＰＵＣＣＨフォーマット１ｂを介して処理された前記ＡＣＫ／ＮＡＣＫフィードバック情報を、前記端末機器に送信された前記ＳＰＳ  ＰＤＳＣＨおよびＤＬのＤＡＩ値が１に等しいＰＤＣＣＨに対応するＰＵＣＣＨのリソースで受信するステップと、
前記基地局が前記フィードバック・ウィンドウにおいて前記ＤＬ  ＤＡＩが１より大きいＰＤＣＣＨも前記端末機器に送信したとき、前記基地局により、ＡＲＩが示すＰＵＣＣＨフォーマット３のリソースを監視し、前記ＰＵＣＣＨフォーマット３のリソースを介してＤＬ  ＤＡＩが１より大きいＰＤＣＣＨに対応するＡＣＫ／ＮＡＣＫフィードバック情報を受信し、フィードバック情報が検出されなかった場合に、ＤＬ  ＤＡＩが１より大きいＰＤＣＣＨが紛失したと判定するステップと、
を含む、請求項１４に記載の方法。
【請求項１８】
ＤＬ  ＤＡＩが１より大きいＰＤＣＣＨが紛失したと判定したことに応答して、ＬＴＥ−Ａ  ＡＣＫ／ＮＡＣＫ多重化送信マッピング・テーブルに従って前記端末機器に送信されたＳＰＳ  ＰＤＳＣＨおよびＤＬのＤＡＩ値が１に等しいＰＤＣＣＨに対応するＰＵＣＣＨのリソースを介して、前記端末機器によりフィードバックされチャネル選択を伴うＰＵＣＣＨフォーマット１ｂを介して処理された前記ＡＣＫ／ＮＡＣＫフィードバック情報を受信するステップ
をさらに含む、請求項１７に記載の方法。
【請求項１９】
前記ＬＴＥ−Ａ  ＡＣＫ／ＮＡＣＫ多重化送信マッピング・テーブルは、Ａ＝２のＬＴＥ−Ａ  Ｒｅｌ−１０のＡＣＫ／ＮＡＣＫ多重化送信マッピング・テーブルを含み、
前記マッピング・テーブル内のパラメータは、
前記ＳＰＳ  ＰＤＳＣＨに対応するＡＣＫ／ＮＡＣＫフィードバック情報であるＨＡＲＱ−ＡＣＫ（０）と、
ＤＬのＤＡＩ値が１に等しい前記ＰＤＣＣＨに対応するＡＣＫ／ＮＡＣＫフィードバック情報であるＨＡＲＱ−ＡＣＫ（１）と、
前記ＳＰＳ  ＰＤＳＣＨに対するＳＰＳ  ＰＵＣＣＨフォーマット１ａ／１ｂのリソースである
【数２６】
0005823025.tif 000036
と、
【数２７】
0005823025.tif 000037
を前記ＤＬのＤＡＩ値が１に等しい前記ＰＤＣＣＨにより占有される第１のＣＣＥのインデックスとして、
【数２８】
0005823025.tif 000038
に従って決定されるＰＵＣＣＨフォーマット１ａ／１ｂのリソースである
【数２９】
0005823025.tif 000039
と、
を含む、請求項１７または１８に記載の方法。
【請求項２０】
前記ＬＴＥ−Ａ  ＡＣＫ／ＮＡＣＫ多重化送信マッピング・テーブルは、
前記端末機器がダウンリンクの単一の符号語送信で構成されるとき、Ａ＝２のＬＴＥ−Ａ  Ｒｅｌ−１０のＡＣＫ／ＮＡＣＫ多重化送信マッピング・テーブルを含み、
前記端末機器がダウンリンクの多符号語送信で構成されるとき、Ａ＝３のＬＴＥ−Ａ  Ｒｅｌ−１０のＡＣＫ／ＮＡＣＫ多重化送信マッピング・テーブルを含み、
前記マッピング・テーブル内のパラメータは、
前記ＳＰＳ  ＰＤＳＣＨに対応するＡＣＫ／ＮＡＣＫフィードバック情報であるＨＡＲＱ−ＡＣＫ（０）と、
前記ＤＬのＤＡＩ値が１に等しい前記ＰＤＣＣＨの符号語１に対応するＡＣＫ／ＮＡＣＫフィードバック情報であるＨＡＲＱ−ＡＣＫ（１）と、
前記ＤＬのＤＡＩ値が１に等しい前記ＰＤＣＣＨの符号語２に対応するＡＣＫ／ＮＡＣＫフィードバック情報であるＨＡＲＱ−ＡＣＫ（２）と、
前記ＳＰＳ  ＰＤＳＣＨに対するＳＰＳ  ＰＵＣＣＨフォーマット１ａ／１ｂのリソースである
【数３０】
0005823025.tif 000040
と、
【数３１】
0005823025.tif 000041
を前記ＤＬのＤＡＩ値が１に等しい前記ＰＤＣＣＨにより占有される第１のＣＣＥのインデックスとして、
【数３２】
0005823025.tif 000042
に従って決定されるＰＵＣＣＨフォーマット１ａ／１ｂのリソースである
【数３３】
0005823025.tif 000043
と、
【数３４】
0005823025.tif 000044
を用いることにより取得されるＰＵＣＣＨフォーマット１ａ／１ｂのリソースである
【数３５】
0005823025.tif 000045
と、
を含む、請求項１７または１８に記載の方法。
【請求項２１】
ＰＵＣＣＨ（ｐｈｙｓｉｃａｌ  ｕｐｌｉｎｋ  ｃｏｎｔｒｏｌ  ｃｈａｎｎｅｌ）フォーマット３を用いることによって、ＡＣＫ／ＮＡＣＫフィードバック情報を送信するように構成された、キャリア集約をサポートしない端末機器に情報を送信するように構成された送信モジュールと、
ＳＰＳ（ｓｅｍｉ−ｐｅｒｓｉｓｔｅｎｔ  ｓｃｈｅｄｕｌｉｎｇ）  ＰＤＳＣＨ（ｐｈｙｓｉｃａｌ  ｄｏｗｎｌｉｎｋ  ｓｈａｒｅｄ  ｃｈａｎｎｅｌ）およびダウンリンク（ＤＬ）ＤＡＩ（ｄｏｗｎｌｉｎｋ  ａｓｓｉｇｎｍｅｎｔ  ｉｎｄｅｘ）値が１に等しいＰＤＣＣＨ（ｐｈｙｓｉｃａｌ  ｄｏｗｎｌｉｎｋ  ｃｏｎｔｒｏｌ  ｃｈａｎｎｅｌ）のみを前記送信モジュールがフィードバック・ウィンドウで前記端末機器に送信したとき、前記端末機器によりフィードバックされチャネル選択またはＡＣＫ／ＮＡＣＫバンドル化を伴うＰＵＣＣＨフォーマット１ｂを介して処理されたＡＣＫ／ＮＡＣＫフィードバック情報を、ＰＵＣＣＨフォーマット１ａ／１ｂのリソースを介して受信するように構成された受信モジュールと、
を備える、基地局。
【請求項２２】
前記受信モジュールは、
フィードバック・ウィンドウにおいてＤＬ  ＤＡＩが１より大きいＰＤＣＣＨを前記送信モジュールが前記端末機器に送信しなかったとき、前記端末機器によりフィードバックされＡＣＫ／ＮＡＣＫバンドル化により処理された前記ＡＣＫ／ＮＡＣＫフィードバック情報を、ＤＬのＤＡＩ値が１に等しいＰＤＣＣＨに対応するＰＵＣＣＨフォーマット１ａ／１ｂのリソースを介して受信し、
前記フィードバック・ウィンドウにおいて前記ＤＬ  ＤＡＩが１より大きいＰＤＣＣＨも前記基地局が前記端末機器に送信したとき、ＡＲＩが示すＰＵＣＣＨフォーマット３のリソースを監視し、前記端末機器によりフィードバックされＡＣＫ／ＮＡＣＫバンドル化により処理された前記ＡＣＫ／ＮＡＣＫフィードバック情報と、ＤＬ  ＤＡＩが１より大きいＰＤＣＣＨに対するＡＣＫ／ＮＡＣＫとを、前記ＰＵＣＣＨフォーマット３のリソースを介して受信し、フィードバック情報が前記ＰＵＣＣＨフォーマット３のリソースにおいて検出されなかった場合にＤＬ  ＤＡＩが１より大きいＰＤＣＣＨが紛失したと判定する
ように構成された、請求項２１に記載の基地局。
【請求項２３】
前記受信モジュールは、
ＤＬ  ＤＡＩが１より大きいＰＤＣＣＨが紛失したと判定したことに応答して、ＳＰＳ  ＰＤＳＣＨが送信されたサブフレームとＤＬのＤＡＩ値が１に等しいＰＤＣＣＨが送信されたサブフレームとの間で最後に送信されたサブフレームに対応するＰＵＣＣＨのリソースを監視し、前記端末機器によりフィードバックされＡＣＫ／ＮＡＣＫバンドル化により処理された前記ＡＣＫ／ＮＡＣＫフィードバック情報を、前記ＰＵＣＣＨのリソースを介して受信する
ように構成された、請求項２２に記載の基地局。
【請求項２４】
前記受信モジュールは、
前記送信モジュールがフィードバック・ウィンドウにおいてＤＬ  ＤＡＩが１より大きいＰＤＣＣＨを前記端末機器に送信しなかったとき、前記端末機器によりフィードバックされチャネル選択を伴うＰＵＣＣＨフォーマット１ｂにより処理された前記ＡＣＫ／ＮＡＣＫフィードバック情報を、ＬＴＥ−Ａ  ＡＣＫ／ＮＡＣＫ多重化送信マッピング・テーブルを用いて前記端末機器に送信されたＳＰＳ  ＰＤＳＣＨおよびＤＬのＤＡＩ値が１に等しいＰＤＣＣＨに対応するＰＵＣＣＨのリソースを介して受信し、
前記フィードバック・ウィンドウにおいて前記ＤＬ  ＤＡＩが１より大きいＰＤＣＣＨも前記基地局が前記端末機器に送信したとき、ＡＲＩが示すＰＵＣＣＨフォーマット３のリソースを監視し、ＤＬ  ＤＡＩが１より大きいＰＤＣＣＨに対するＡＣＫ／ＮＡＣＫフィードバック情報を、前記ＰＵＣＣＨフォーマット３のリソースを介して受信し、フィードバック情報が前記ＰＵＣＣＨフォーマット３のリソースで検出されなかった場合には、ＤＬ  ＤＡＩが１より大きいＰＤＣＣＨが紛失したと判定する
ように構成された、請求項２１に記載の基地局。
【請求項２５】
前記受信モジュールは、
ＤＬ  ＤＡＩが１より大きいＰＤＣＣＨが紛失したと判定したことに応答して、前記端末機器によりフィードバックされチャネル選択を伴うＰＵＣＣＨフォーマット１ｂを介して処理された前記ＡＣＫ／ＮＡＣＫフィードバック情報を、ＬＴＥ−Ａ  ＡＣＫ／ＮＡＣＫ多重化送信マッピング・テーブルを用いて前記端末機器に送信されたＳＰＳ  ＰＤＳＣＨおよびＤＬのＤＡＩ値が１に等しいＰＤＣＣＨに対応するＰＵＣＣＨのリソースを介して受信する
ようにさらに構成された、請求項２４に記載の基地局。
【発明の詳細な説明】
【技術分野】
【０００１】
本発明は、発明の名称を「ＡＣＫ／ＮＡＣＫ送信のための方法および装置」とした、２０１１年４月２９日に中国国家知識産権局に出願された中国特許出願第２０１１１０１１０８４３．３号に対する優先権を主張し、その開示内容を引用により全体として全ての目的で取り込む。
【０００２】
本発明は通信に関し、特に、ＡＣＫ／ＮＡＣＫ送信のための方法および装置に関する。
【背景技術】
【０００３】
ＬＴＥ（ｌｏｎｇ  ｔｅｒｍ  ｅｖｏｌｕｔｉｏｎ）ＴＤＤ（ｔｉｍｅ  ｄｉｖｉｓｉｏｎ  ｄｕｐｌｅｘ）システムでは、ユーザ装置（ＵＥ、即ちａユーザ端末機器）は、複数のダウンリンク・サブフレームに対応する肯定応答（ＡＣＫ）／否定応答（ＮＡＣＫ）をアップリンク・サブフレームでフィードバックすることができる。即ち、ダウンリンク・サブフレームｎ−ｋ内のデータの復調および復号を終了した後、ＵＥは、データをダウンリンク・サブフレームで再送する必要があるかどうかを示すために、アップリンク・サブフレームｎで信号（即ち、ＡＣＫ／ＮＡＣＫ）を基地局にフィードバックする。ここで、ｋ∈Ｋであり、集合Ｋの値は、表１に示すように、当該システムとサブフレーム・インデックスにより使用されるＴＤＤアップリンク（ＵＬ）−ダウンリンク（ＤＬ）構成に関連する。
【０００４】
本発明における「フィードバック・ウィンドウ」とは同一のアップリンク・サブフレームに対応するＫ個のダウンリンク・サブフレームを指す。
【０００５】
【表１】
0005823025.tif 000002
【０００６】
２つのＡＣＫ／ＮＡＣＫフィードバック・モード、即ちＡＣＫ／ＮＡＣＫ多重化およびＡＣＫ／ＮＡＣＫバンドル化がＬＴＥ  ＴＤＤシステムによりサポートされる。ＴＤＤ  ＵＬ−ＤＬ構成５では、ＡＣＫ／ＮＡＣＫバンドル化のみがサポートされる。ＡＣＫ／ＮＡＣＫ送信を伴うＵＥが採用するフィードバック・モードは、上位層のシグナリングで構成される。ＵＥがＰＵＣＣＨ（ｐｈｙｓｉｃａｌ  ｕｐｌｉｎｋ  ｃｏｎｔｒｏｌ  ｃｈａｎｎｅｌ）フォーマット１ａ／１ｂを使用してＡＣＫ／ＮＡＣＫをフィードバックするとき、ＰＵＣＣＨフォーマット１ａ／１ｂのリソースを、データのタイプに応じて以下の２つの方式により取得することができる。
【０００７】
第１の方式によれば、ＳＰＳ（ｓｅｍｉ−ｐｅｒｓｉｓｔｅｎｔ  ｓｃｈｅｄｕｌｉｎｇ）ＰＤＳＣＨ（ｐｈｙｓｉｃａｌ  ｄｏｗｎｌｉｎｋ  ｓｈａｒｅｄ  ｃｈａｎｎｅｌ）に対応するＰＵＣＣＨのリソースが上位層により準固定的に構成される。
【０００８】
第２の方式によれば、ＳＰＳリリースを示す動的にスケジュールされるＰＤＳＣＨまたはＰＤＣＣＨ（ｐｈｙｓｉｃａｌ  ｄｏｗｎｌｉｎｋ  ｃｏｎｔｒｏｌ  ｃｈａｎｎｅｌ）が、ＰＤＣＣＨにより占有される第１のＣＣＥ（ｃｏｎｔｒｏｌ  ｃｈａｎｎｅｌ  ｅｌｅｍｅｎｔ）のインデックスにより決定される。
【０００９】
ＬＴＥ  ＵＥがＡＣＫ／ＮＡＣＫ送信を伴うＡＣＫ／ＮＡＣＫバンドル化により構成される場合には、同じインデックスを有する符号語に対応するＡＣＫ／ＮＡＣＫがフィードバック・ウィンドウにわたってバンドル化される（即ち、論理和がとられる）。図１は、従来式のＡＣＫ／ＮＡＣＫバンドル化機構を示す概略図である。
【００１０】
単一の符号語送信では、１ビットのバンドル化されたＡＣＫ／ＮＡＣＫを取得でき、ＰＵＣＣＨフォーマット１ａが送信に使用される。多符号語（２つの符号語）送信では、２ビットのバンドル化されたＡＣＫ／ＮＡＣＫを取得でき、ＰＵＣＣＨフォーマット１ｂが送信に使用される。ＵＥは、データが紛失したかどうかをＰＤＣＣＨ内のＤＡＩ（ｄｏｗｎｌｉｎｋ  ａｓｓｉｇｎｍｅｎｔ  ｉｎｄｅｘ）により判定する。図１に示した例では、ＤＡＩの値は、現在のフィードバック・ウィンドウにおける動的にスケジュールされたダウンリンク・サブフレームのインデックスを示す。ＵＥは、ＤＬ  ＤＡＩ値が１に等しいＰＤＣＣＨに対応するアップリンク制御チャネルリソースを用いて、バンドル化されたＡＣＫ／ＮＡＣＫを送信する。
【００１１】
ＬＴＥ  ＵＥがＡＣＫ／ＮＡＣＫ送信を伴うＡＣＫ／ＮＡＣＫ多重化で構成されるとき、表１で定義したＭについて、Ｍ＞１であるアップリンク・サブフレームに対し、各ＤＬサブフレーム内の多符号語に対応するＡＣＫ／ＮＡＣＫがバンドル化され（即ち、空間バンドル化）、ＮＡＣＫ／ＤＴＸ（ｄｉｓｃｏｎｔｉｎｕｏｕｓ  ｔｒａｎｓｍｉｓｓｉｏｎ）が、データが受信されないダウンリンク・サブフレームに関するフィードバック情報として生成される。図２は、従来式のＡＣＫ／ＮＡＣＫ多重化機構を示す概略図である。図示したように、ＭビットのＡＣＫ／ＮＡＣＫを取得し、表２乃至４で示したマッピング関係に従うチャネル選択を伴うＰＵＣＣＨフォーマット１ｂを用いてＭビットのＡＣＫ／ＮＡＣＫ送信することができる。
【００１２】
【数１】
0005823025.tif 000003
【００１３】
はＨＡＲＱ−ＡＣＫ（ｘ）に対応するＰＵＣＣＨのリソースを表し、ＤＴＸはデータ・パケットが受信されないことを示す。２ビットの情報ｂ（０）およびｂ（１）と送信に使用されるＰＵＣＣＨのリソースとが、Ｍ個のフィードバック・ビットにより構成された状態に基づくテーブルを参照することにより取得される。Ｍ＝１のとき、ＵＥは唯一の利用可能なチャネルでＰＵＣＣＨフォーマット１ａ／１ｂを用いて１ビットまたは２ビットのＡＣＫ／ＮＡＣＫを直接送信する。
【００１４】
【表２】
0005823025.tif 000004
【００１５】
【表３】
0005823025.tif 000005
【００１６】
【表４】
0005823025.tif 000006
【００１７】
今日、高々５つのキャリアの集約がＬＴＥ−Ａ（ｌｏｎｇ  ｔｅｒｍ  ｅｖｏｌｕｔｉｏｎ  ａｄｖａｎｃｅｄ）システムによりサポートされている。ＬＴＥ−Ａ  ＵＥは、複数のダウンリンク・キャリアおよびダウンリンク・サブフレームに対応するＡＣＫ／ＮＡＣＫを１つのアップリンク・サブフレームでフィードバックする必要があり、比較的大量の情報をフィードバックする必要がある。したがって、新たなＰＵＣＣＨフォーマット３がＬＴＥ−Ａにおいて複数ビットのＡＣＫ／ＮＡＣＫ送信の機構として定義されている。ＰＵＣＣＨフォーマット３を用いて高々２０ビットを送信することができる。ＡＣＫ／ＮＡＣＫ送信向けのＰＵＣＣＨフォーマット３で構成したＵＥを用いると、４つのＰＵＣＣＨのリソースが上位層のシグナリングを介して基地局により準固定的に構成される。次に、当該基地局は、データ・スケジューリング中にＰＤＣＣＨを介したＰＵＣＣＨ送信にどのリソースを使用するかをＵＥに動的に通知する。
【００１８】
ＬＴＥ−Ａシステムはまた、４ビット以下のＡＣＫ／ＮＡＣＫ多重化送信に対するチャネル選択を伴うＰＵＣＣＨフォーマット１ｂをサポートする。３つの新たなＡＣＫ／ＮＡＣＫマッピング・テーブルが表５乃至７に示すように定義される。以前のマッピング・テーブルと比べると、当該新たなマッピング・テーブルには重複した状態がなく、したがってより良好な性能がもたらされる。
【００１９】
【表５】
0005823025.tif 000007
【００２０】
【表６】
0005823025.tif 000008
【００２１】
【表７】
0005823025.tif 000009
【００２２】
現在、ＴＤＤシステムにおいてキャリア集約をサポートしないＲｅｌ−１０  ＵＥに対して、基地局は複数ビットのＡＣＫ／ＮＡＣＫ送信に対してＰＵＣＣＨフォーマット３を使用するように当該ＵＥを構成することができる。ＤＬ  ＤＡＩ値が１に等しいＰＤＣＣＨ内のＴＰＣ（ｔｒａｎｓｐｏｒｔ  ｐｏｗｅｒ  ｃｏｎｔｒｏｌ）フィールドを電力制御シグナリングの伝達に使用し、ＤＬ  ＤＡＩ値が１より大きいＰＤＣＣＨ内のＴＰＣフィールドは、ＰＵＣＣＨフォーマット３のリソースがＵＥによりＡＣＫ／ＮＡＣＫ送信のために使用されることを示すＡＲＩ（ＡＣＫ／ＮＡＣＫ  ｒｅｓｏｕｒｃｅ  ｉｎｄｉｃａｔｏｒ）として使用される。１つのフィードバック・ウィンドウにおける異なるＰＤＣＣＨのＡＲＩは同一である。
【００２３】
ＵＥがフィードバック・ウィンドウにおいてＳＰＳ  ＰＤＳＣＨしか受信しない場合には、ＵＥは、上位層のシグナリングにより構成されたＰＵＣＣＨのリソースでＳＰＳ  ＰＤＳＣＨに対するＡＣＫ／ＮＡＣＫをフィードバックする。
【００２４】
ＵＥが、フィードバック・ウィンドウにおいてＤＬ  ＤＡＩ値が１に等しいＰＤＣＣＨしか受信しなかった場合には、ＵＥはＰＤＣＣＨに対応するＲｅｌ−８リソースでＡＣＫ／ＮＡＣＫをフィードバックする。
【００２５】
ＵＥが、フィードバック・ウィンドウにおいてＤＬ  ＤＡＩ値が１より大きいＰＤＣＣＨを受信した場合には、ＵＥは、ＰＵＣＣＨフォーマット３を用いて、ＡＲＩが示すリソースでＡＣＫ／ＮＡＣＫをフィードバックする。
【発明の概要】
【発明が解決しようとする課題】
【００２６】
本発明に想到する過程において、発明者らは先行技術には少なくとも以下の欠点があることを発見した。
【００２７】
キャリア集約をサポートしないＲｅｌ−１０  ＵＥに対して、基地局がＰＵＣＣＨフォーマット３を用いてＡＣＫ／ＮＡＣＫを送信するようにＵＥを構成し、ＵＥがフィードバック・ウィンドウにおいてＤＬ  ＤＡＩ値が１に等しいＳＰＳ  ＰＤＳＣＨおよびＰＤＣＣＨしか受信しなかったとき、ＵＥはＰＵＣＣＨフォーマット３のリソースを取得することができない。この状況に対するＡＣＫ／ＮＡＣＫ送信機構は存在しない。
【課題を解決するための手段】
【００２８】
本発明の様々な例では、フィードバック・ウィンドウにおいてＤＬ  ＤＡＩ値が１に等しいＳＰＳ  ＰＤＳＣＨおよびＰＤＣＣＨのみをＵＥが受信したときにＡＣＫ／ＮＡＣＫを送信してＡＣＫ／ＮＡＣＫ送信における問題を解決するための方法と装置を提供する。
【００２９】
本発明の種々の例では、ＡＣＫ／ＮＡＣＫ送信のための方法を提供する。当該方法は、フィードバック・ウィンドウにおいて基地局により送信される、ＤＡＩ値が１に等しいＳＰＳ  ＰＤＳＣＨおよびＰＤＣＣＨのみを受信したＵＥにより、チャネル選択またはＡＣＫ／ＮＡＣＫバンドル化を伴うＰＵＣＣＨフォーマット１ｂを用いることにより、ＳＰＳ  ＰＤＳＣＨに対応するＡＣＫ／ＮＡＣＫフィードバック情報とＰＤＣＣＨに対応するＡＣＫ／ＮＡＣＫフィードバック情報とをＰＵＣＣＨフォーマット１ａ／１ｂのリソースで送信するステップを含むことができる。
【００３０】
本発明の種々の例ではまた、端末機器を提供する。当該端末機器は、基地局が送信した情報を受信するように構成された受信モジュールと、フィードバック・ウィンドウにおいて基地局により送信される、ＤＬ  ＤＡＩ値が１に等しいＳＰＳ  ＰＤＳＣＨおよびＰＤＣＣＨのみを当該受信モジュールが受信したとき、チャネル選択またはＡＣＫ／ＮＡＣＫバンドル化を伴うＰＵＣＣＨフォーマット１ｂを用いることにより、受信した情報を処理するように構成された処理モジュールと、ＰＵＣＣＨフォーマット１ａ／１ｂのリソースを介して当該処理モジュールによりバンドル化されたＡＣＫ／ＮＡＣＫフィードバック情報を送信するように構成された送信モジュールとを備えることができる。
【００３１】
本発明の種々の例ではまた、ＡＣＫ／ＮＡＣＫ送信のための方法を提供する。当該方法は、基地局によりＡＣＫ／ＮＡＣＫフィードバック情報を受信するステップであって、当該ＡＣＫ／ＮＡＣＫフィードバック情報は、端末機器によりフィードバックされたものであり、ＤＬ  ＤＡＩ値が１に等しいＳＰＳ  ＰＤＳＣＨおよびＰＤＣＣＨを当該基地局が当該端末機器に送信したときに、チャネル選択を伴うＰＵＣＣＨフォーマット１ｂまたはＰＵＣＣＨフォーマット１ａ／１ｂのリソースからのＡＣＫ／ＮＡＣＫバンドル化を介して処理されたものである、ステップを含むことができる。
【００３２】
本発明の種々の例ではまた、基地局を提供する。当該基地局は、情報を端末機器に送信するように構成された送信モジュールと、ＡＣＫ／ＮＡＣＫフィードバック情報を受信するように構成された受信モジュールであって、当該ＡＣＫ／ＮＡＣＫフィードバック情報は当該端末機器によりフィードバックされたものであり、ＤＬ  ＤＡＩ値が１に等しいＳＰＳ  ＰＤＳＣＨおよびＰＤＣＣＨを当該送信モジュールが当該端末機器に送信したときに、チャネル選択を伴うＰＵＣＣＨフォーマット１ｂまたはＰＵＣＣＨフォーマット１ａ／１ｂのリソースからのＡＣＫ／ＮＡＣＫバンドル化を介して処理されたものである受信モジュールとを備えることができる。
【００３３】
本発明の種々の例ではまた、ＡＣＫ／ＮＡＣＫ送信のための方法を提供する。当該方法は、フィードバック・ウィンドウにおいて基地局が送信したＳＰＳ  ＰＤＳＣＨを端末機器が受信したときに、当該端末機器がＰＵＣＣＨフォーマット３のリソースでＡＣＫ／ＮＡＣＫフィードバック情報を当該基地局に送信するステップを含むことができる。
【００３４】
本発明の種々の例ではまた、端末機器を提供する。当該端末機器は、基地局が送信した情報を受信するように構成された受信モジュールと、フィードバック・ウィンドウにおいて当該基地局が送信したＳＰＳ  ＰＤＳＣＨを当該端末機器が受信したときに、ＰＵＣＣＨフォーマット３のリソースでＡＣＫ／ＮＡＣＫフィードバック情報を当該基地局に送信するように構成された送信モジュールとを備えることができる。
【００３５】
本発明の種々の例ではまた、ＡＣＫ／ＮＡＣＫ送信のための方法を提供する。当該方法は、基地局が端末機器に対してＰＵＣＣＨフォーマット３のリソースを構成するステップと、当該基地局により、フィードバック・ウィンドウにおいて当該基地局がＳＰＳ  ＰＤＳＣＨを当該端末機器に送信したときに、当該端末機器が、当該端末機器に対して構成された当該ＰＵＣＣＨフォーマット３のリソースで送信したＡＣＫ／ＮＡＣＫフィードバック情報を受信するステップと、含むことができる。
【００３６】
本発明の種々の例ではまた、基地局を提供する。当該基地局は、端末機器に対してＰＵＣＣＨフォーマット３のリソースを構成するように構成された構成モジュールと、情報を端末機器に送信するように構成された送信モジュールと、フィードバック・ウィンドウにおいて当該基地局がＳＰＳ  ＰＤＳＣＨを当該端末機器に送信したときに、当該端末機器に対して構成された当該ＰＵＣＣＨフォーマット３のリソースで当該端末機器により送信されたＡＣＫ／ＮＡＣＫフィードバック情報を受信するように構成された受信モジュールと、を備えることができる。
【００３７】
先行技術と比べると、本発明の機構には以下のメリットがある。本発明の種々の例により提供された機構によれば、フィードバック・ウィンドウにおいてＤＡＩ値が１に等しいＳＰＳ  ＰＤＳＣＨおよびＰＤＣＣＨのみをＵＥが受信したとき、端末機器は、チャネル選択またはＡＣＫ／ＮＡＣＫバンドル化を伴うＰＵＣＣＨフォーマット１ｂのフィードバック機構を用いて、ＳＰＳ  ＰＤＳＣＨおよびＰＤＣＣＨに対応するＰＵＣＣＨフォーマット１ａ／１ｂのリソースを介してＡＣＫ／ＮＡＣＫを送信する。したがって、基地局がフィードバック送信向けにＰＵＣＣＨフォーマット３のリソースを構成するが端末機器がＰＵＣＣＨフォーマット３のリソースを取得できないとき、当該機構によりＡＣＫ／ＮＡＣＫ送信に対する解決策がもたらされる。
【図面の簡単な説明】
【００３８】
【図１】従来式のＡＣＫ／ＮＡＣＫバンドル化機構を示す概略図である。
【図２】従来式のＡＣＫ／ＮＡＣＫ多重化機構を示す概略図である。
【図３】本発明の１例に従うＡＣＫ／ＮＡＣＫ送信のための方法を示す流れ図である。
【図４】本発明の１例に従うＡＣＫ／ＮＡＣＫ送信のための方法を示す流れ図である。
【図５】本発明の１例に従う端末機器の構造を示す概略図である。
【図６】本発明の１例に従う基地局の構造を示す概略図である。
【図７】本発明の１例に従う端末機器の構造を示す概略図である。
【図８】本発明の１例に従う基地局の構造を示す概略図である。
【発明を実施するための形態】
【００３９】
ＰＵＣＣＨフォーマット３を、ＡＣＫ／ＮＡＣＫ送信を実施するためのキャリア集約をサポートしないＲｅｌ−１０  ＵＥに対して構成してもよい。フィードバック・ウィンドウにおいてＤＬ  ＤＡＩ値が１に等しいＳＰＳ  ＰＤＳＣＨおよびＰＤＣＣＨのみをＵＥが受信したとき、ＡＣＫ／ＮＡＣＫを送信するための機構は存在しない。
【００４０】
したがって、本発明の様々な例では、上述の状況においてＡＣＫ／ＮＡＣＫを送信するための方法を提供する。
【００４１】
図３は、本発明の１例に従うＡＣＫ／ＮＡＣＫ送信のための方法を示す流れ図である。当該方法は以下の手続きを含むことができる。
【００４２】
ブロックＳ３０１で、基地局は、キャリア集約をサポートしないＲｅｌ−１０端末機器を、ＰＵＣＣＨフォーマット３を利用してＡＣＫ／ＮＡＣＫを送信するように構成する。
【００４３】
ブロックＳ３０２で、フィードバック・ウィンドウにおいて基地局が送信したＤＬ  ＤＡＩ値が１に等しいＳＰＳ  ＰＤＳＣＨおよびＰＤＣＣＨしか端末機器が受信しなかったとき、当該端末機器は、チャネル選択またはＡＣＫ／ＮＡＣＫバンドル化を伴うＰＵＣＣＨフォーマット１ｂのフィードバック機構を用いて、ＳＰＳ  ＰＤＳＣＨおよびＰＤＣＣＨに対するＡＣＫ／ＮＡＣＫをＰＵＣＣＨフォーマット１ａ／１ｂのリソースで送信する。
【００４４】
様々な例では、ＡＣＫ／ＮＡＣＫバンドル化のフィードバック機構がＬＴＥ  Ｒｅｌ−８のＴＤＤ  ＡＣＫ／ＮＡＣＫバンドル化であってもよい。
【００４５】
ブロックＳ３０２の手続きを様々な状況に応じて様々な手法を用いて実装してもよい。
【００４６】
第１の状況では、ブロックＳ３０２で端末機器がＡＣＫ／ＮＡＣＫバンドル化を使用してＡＣＫ／ＮＡＣＫを送信するとき、当該手続きを以下のように行ってもよい。
【００４７】
端末機器が、ＳＰＳ  ＰＤＳＣＨおよびＤＬのＤＡＩ値が１に等しいＰＤＣＣＨにおいて同じインデックスを有する符号語に対するＡＣＫ／ＮＡＣＫをバンドル化するか、または、端末機器が、ＳＰＳ  ＰＤＳＣＨおよびＤＬのＤＡＩ値が１に等しいＰＤＣＣＨに対するＡＣＫ／ＮＡＣＫを空間的にバンドル化する。
【００４８】
バンドル化の方式は必要に応じて決定してもよく、本発明では限定されない。
【００４９】
端末機器は、ＤＬのＤＡＩ値が１に等しいＰＤＣＣＨに対応するＰＵＣＣＨフォーマット１ａ／１ｂのリソースを介して、バンドル化されたＡＣＫ／ＮＡＣＫを送信する。
【００５０】
第２の状況では、端末機器がブロックＳ３０２でＡＣＫ／ＮＡＣＫ送信のためにチャネル選択を伴うＰＵＣＣＨフォーマット１ｂを使用するとき、端末機器は常にＡ＝２でＡＣＫ／ＮＡＣＫ多重化マッピング・テーブルを使用してフィードバックを実施してもよく、当該手続きを以下のように行ってもよい。
【００５１】
端末機器は、バンドル化されたＡＣＫ／ＮＡＣＫと、Ａ＝２のときのチャネル選択を伴うＬＴＥ−Ａ  Ｒｅｌ−１０  ＰＵＣＣＨフォーマット１ｂに対して定義されたＡＣＫ／ＮＡＣＫ多重化送信マッピング・テーブルとを用いることにより、フィードバックすべき情報を決定し、２つのＰＵＣＣＨフォーマット１ａ／１ｂのリソースからＰＵＣＣＨのリソースを決定する。端末機器は、決定されたＰＵＣＣＨのリソースを介して情報を送信する。
【００５２】
様々な例では、Ａ＝２のときのチャネル選択を伴うＬＴＥ−Ａ  ＰＵＣＣＨフォーマット１ｂに対して定義されたＡＣＫ／ＮＡＣＫマッピング・テーブルが上の表５であってもよい。しかし、当該プロセスは、フィードバック・ウィンドウの長さが本発明の種々の例に従って２より大きいときに表５が使用されるという点で、表５を用いる従来のプロセスとは異なる。従来のプロセスによれば、表５はフィードバック・ウィンドウの長さが２であるときにだけ使用される。
【００５３】
例えば、簡単のため、ＳＰＳ  ＰＤＳＣＨに対してＤＴＸ状態が存在しないことを考慮して、上の表５を以下の表８に簡略化してもよい。表８のパラメータは以下のように説明される。
【００５４】
【表８】
0005823025.tif 000010
【００５５】
ＨＡＲＱ−ＡＣＫ（０）はＳＰＳ  ＰＤＳＣＨに対するＡＣＫ／ＮＡＣＫである。
【００５６】
【数２】
0005823025.tif 000011
【００５７】
は、ＳＰＳ  ＰＤＳＣＨに対応するＳＰＳ  ＰＵＣＣＨのリソースである。ＨＡＲＱ−ＡＣＫ（１）は、ＤＬのＤＡＩ値が１に等しいＰＤＣＣＨに対するＡＣＫ／ＮＡＣＫである。
【００５８】
【数３】
0005823025.tif 000012
【００５９】
は、
【００６０】
【数４】
0005823025.tif 000013
【００６１】
に従って決定されるＰＵＣＣＨフォーマット１ａ／１ｂのリソースである。
【００６２】
【数５】
0005823025.tif 000014
【００６３】
は、ＤＬのＤＡＩ値が１に等しいＰＤＣＣＨにより占有される第１のＣＣＥのインデックスである。ｂ（０）、ｂ（１）は、フィードバックされる情報である。ｄ（０）はＡＣＫ／ＮＡＣＫに対応する変調記号である。
【００６４】
表８と表５の形式的な差異は、適用シナリオの違いを反映するものにすぎず表の利用に影響を及ぼさないことに留意されたい。表５を、そのパラメータが同じ意味を有する例で使用してもよい。実際に使用される表は、本発明では限定されない。
【００６５】
第３の状況では、端末機器は、フィードバックすべきＡＣＫ／ＮＡＣＫのビット数に対応するＡＣＫ／ＮＡＣＫ多重化送信マッピング・テーブルを用いることによって、フィードバックを実施する。当該プロセスは以下のようであってもよい。
【００６６】
端末装置がダウンリンクの単一の符号語送信で構成されているとき、フィードバックはＡ＝２のＡＣＫ／ＮＡＣＫ多重化送信マッピング・テーブルを用いて実施される。そのプロセスは第２の状況と同様である。
【００６７】
端末装置が多符号語送信で構成されているとき、Ａ＝３のＡＣＫ／ＮＡＣＫ多重化送信マッピング・テーブルを使用して送信すべき情報を決定してもよく、情報送信のためのＰＵＣＣＨのリソースは３つのＰＵＣＣＨフォーマット１ａ／１ｂのリソースから決定される。端末機器は、決定されたＰＵＣＣＨのリソースを介して情報を送信する。
【００６８】
様々な例では、Ａ＝３のチャネル選択を伴うＬＴＥ−Ａ  Ｒｅｌ−１０のＴＤＤ  ＰＵＣＣＨフォーマット１ｂに対して定義されたＡＣＫ／ＮＡＣＫマッピング・テーブルが上の表６であってもよい。しかし、当該プロセスは、フィードバック・ウィンドウにおけるＡＣＫ／ＮＡＣＫの最大ビット数が本発明の種々の例に従って２より大きいときに表６が使用されるという点で、表６を用いる従来のプロセスとは異なる。従来のプロセスによれば表６はフィードバック・ウィンドウにおけるＡＣＫ／ＮＡＣＫの最大ビット数が３であるときにのみ使用される。さらに、従来のプロセスによれば、それぞれＨＡＲＱ−ＡＣＫ（０）、ＨＡＲＱ−ＡＣＫ（１）およびＨＡＲＱ−ＡＣＫ（２）に対応するデータのタイプはデータが受信された時点の順序に従って決定されるが、本発明の例によれば、それぞれＨＡＲＱ−ＡＣＫ（０）、ＨＡＲＱ−ＡＣＫ（１）およびＨＡＲＱ−ＡＣＫ（２）に対応するデータのタイプを決定する必要がある。
例えば、簡単のため、ＳＰＳ  ＰＤＳＣＨに対してＤＴＸ状態が存在しないことを考慮して、上の表６を以下の表９に簡略化してもよい。表９のパラメータは以下のように説明される。
【００６９】
【表９】
0005823025.tif 000015
【００７０】
ＨＡＲＱ−ＡＣＫ（０）はＳＰＳ  ＰＤＳＣＨに対するＡＣＫ／ＮＡＣＫである。ＨＡＲＱ−ＡＣＫ（１）は、ＤＬのＤＡＩ値が１に等しいＰＤＣＣＨに対応する符号語１に対するＡＣＫ／ＮＡＣＫである。ＨＡＲＱ−ＡＣＫ（２）は、ＤＬのＤＡＩ値が１に等しいＰＤＣＣＨに対応する符号語２に対するＡＣＫ／ＮＡＣＫである。
【００７１】
【数６】
0005823025.tif 000016
【００７２】
は、ＳＰＳ  ＰＤＳＣＨに対するＳＰＳ  ＰＵＣＣＨフォーマット１ａ／１ｂのリソースである。
【００７３】
【数７】
0005823025.tif 000017
【００７４】
は、
【００７５】
【数８】
0005823025.tif 000018
【００７６】
に従って決定されるＰＵＣＣＨフォーマット１ａ／１ｂのリソースである。
【００７７】
【数９】
0005823025.tif 000019
【００７８】
は、ＤＬのＤＡＩ値が１に等しいＰＤＣＣＨにより占有される第１のＣＣＥのインデックスである。
【００７９】
【数１０】
0005823025.tif 000020
【００８０】
は、
【００８１】
【数１１】
0005823025.tif 000021
【００８２】
を用いて取得されるＰＵＣＣＨフォーマット１ａ／１ｂのリソースである。ｂ（０）、ｂ（１）は、フィードバックされる情報である。
【００８３】
上の第２および第３の状況は、端末機器がチャネル選択を伴うＰＵＣＣＨフォーマット１ｂを使用し、ＳＰＳ  ＰＤＳＣＨおよびＤＬのＤＡＩ値が１に等しいＰＤＣＣＨに対するＡＣＫ／ＮＡＣＫをＰＵＣＣＨフォーマット１ａ／１ｂのリソースを介して送信する状況であることが分かる。実際に使用される方法は必要に応じて決定し調節してもよく、本発明では限定されない。
【００８４】
図４は、本発明の１例に従う、基地局で実装されるＡＣＫ／ＮＡＣＫ送信のプロセスを示す流れ図である。当該プロセスは以下の手続きを含むことができる。
【００８５】
ブロックＳ４０１では、キャリア集約をサポートしないＲｅｌ−１０端末機器を、ＰＵＣＣＨフォーマット３を使用してＡＣＫ／ＮＡＣＫを送信するように構成する。
【００８６】
ブロックＳ４０２では、基地局は、ＳＰＳ  ＰＤＳＣＨおよびＤＬのＤＡＩ値が１に等しいＰＤＣＣＨを端末機器に送信する。
【００８７】
ブロックＳ４０３では、チャネル選択を伴うＰＵＣＣＨフォーマット１ｂを介してまたはＡＣＫ／ＮＡＣＫバンドル化を介して処理され、端末機器によりＰＵＣＣＨフォーマット１ａ／１ｂのリソースでフィードバックされたＡＣＫ／ＮＡＣＫを基地局が受信する。
【００８８】
様々な例では、ＡＣＫ／ＮＡＣＫバンドル化のフィードバック機構がＬＴＥ  Ｒｅｌ−８のＴＤＤ  ＡＣＫ／ＮＡＣＫバンドル化であってもよい。ブロックＳ３０２で述べた３つの状況に対応して、この手続きも３つの状況を含む。
【００８９】
第１の状況では、基地局は、ＡＣＫ／ＮＡＣＫバンドル化を介して処理され端末機器によりＰＵＣＣＨフォーマット１ａ／１ｂのリソースを介してフィードバックされたＡＣＫ／ＮＡＣＫを受信する。
【００９０】
フィードバック・ウィンドウにおいてＤＬ  ＤＡＩが１より大きいＰＤＣＣＨを基地局が端末機器に送信しなかったときは、基地局は、ＡＣＫ／ＮＡＣＫバンドル化を介して処理され、ＤＬのＤＡＩ値が１に等しいＰＤＣＣＨに対応するＰＵＣＣＨフォーマット１ａ／１ｂのリソースを介して端末機器によりフィードバックされたＡＣＫ／ＮＡＣＫを受信する。
【００９１】
基地局がフィードバック・ウィンドウにおいてＤＬ  ＤＡＩが１より大きいＰＤＣＣＨも端末機器に送信したとき、基地局は、ＡＲＩで指定されたＰＵＣＣＨフォーマット３のリソースを監視し、ＡＣＫ／ＮＡＣＫバンドル化を介して処理され、端末機器によりフィードバックされたＡＣＫ／ＮＡＣＫを受信し、ＤＬ  ＤＡＩが１より大きいＰＤＣＣＨに対するＡＣＫ／ＮＡＣＫを、ＰＵＣＣＨフォーマット３のリソースを介して受信する。フィードバック情報が検出されなかった場合には、ＤＬ  ＤＡＩが１より大きいＰＤＣＣＨが紛失したと判定する。
【００９２】
例えば、ＤＬ  ＤＡＩが１より大きいＰＤＣＣＨが紛失したとき、端末機器は、ＰＤＣＣＨに対応するＰＵＣＣＨフォーマット３のリソースを決定することができず、ＡＣＫ／ＮＡＣＫを別の方法で送信してもよい。したがって、基地局がさらに、以下の手続きを実施してかかるＡＣＫ／ＮＡＣＫを受信してもよい。
【００９３】
基地局は、ＳＰＳ  ＰＤＳＣＨが送信されたサブフレームとＤＬのＤＡＩ値が１に等しいＰＤＣＣＨが送信されたサブフレームとの間で最後に送信されたサブフレームに対応するＰＵＣＣＨのリソースを監視し、ＡＣＫ／ＮＡＣＫバンドル化モードで端末機器によりフィードバックされたバンドル化されたＡＣＫ／ＮＡＣＫを受信する。
【００９４】
第２の状況では、基地局は、Ａ＝２のＬＴＥ−Ａ  Ｒｅｌ−１０のＡＣＫ／ＮＡＣＫ多重化送信マッピング・テーブルに従って処理され、ＰＵＣＣＨフォーマット１ａ／１ｂのリソースを介して端末機器によりフィードバックされたＡＣＫ／ＮＡＣＫを受信する。
【００９５】
基地局がフィードバック・ウィンドウにおいてＤＬ  ＤＡＩが１より大きいＰＤＣＣＨを端末機器に送信しなかったとき、基地局は、Ａ＝２のＬＴＥ−Ａ  Ｒｅｌ−１０のＡＣＫ／ＮＡＣＫ多重化送信マッピング・テーブルに従って空間バンドル化を介して処理され、ＳＰＳ  ＰＤＳＣＨおよびＤＬのＤＡＩ値が１に等しいＰＤＣＣＨに対応するＰＵＣＣＨのリソースを介して端末機器によりフィードバックされたＡＣＫ／ＮＡＣＫを受信する。
【００９６】
基地局がフィードバック・ウィンドウにおいてＤＬ  ＤＡＩが１より大きいＰＤＣＣＨも端末機器に送信したとき、基地局は、ＡＲＩで指定されたＰＵＣＣＨフォーマット３のリソースを監視し、ＤＬ  ＤＡＩが１より大きいＰＤＣＣＨに対するＡＣＫ／ＮＡＣＫを、ＰＵＣＣＨフォーマット３のリソースを介して受信する。フィードバック情報が検出されなかった場合、ＤＬ  ＤＡＩが１より大きいＰＤＣＣＨが紛失したと判定する。
【００９７】
例えば、ＤＬ  ＤＡＩが１より大きいＰＤＣＣＨが紛失したとき、端末機器は、ＰＤＣＣＨに対応するＰＵＣＣＨフォーマット３のリソースを決定することができず、したがって、ＡＣＫ／ＮＡＣＫを他の方法で送信してもよい。したがって、基地局がさらに、以下の手続きを実施してかかるＡＣＫ／ＮＡＣＫを受信してもよい。
【００９８】
基地局は、空間バンドル化を介して処理され、Ａ＝２のＬＴＥ−Ａ  Ｒｅｌ−１０のＡＣＫ／ＮＡＣＫ多重化送信マッピング・テーブルに従ってＳＰＳ  ＰＤＳＣＨおよびＤＬのＤＡＩ値が１に等しいＰＤＣＣＨに対応するＰＵＣＣＨのリソースを介して端末機器によりフィードバックされたＡＣＫ／ＮＡＣＫを受信する。
【００９９】
第３の状況では、基地局は、Ａ＝２またはＡ＝３のＬＴＥ−Ａ  Ｒｅｌ−１０のＡＣＫ／ＮＡＣＫ多重化送信マッピング・テーブルに従って処理され、ＰＵＣＣＨフォーマット１ａ／１ｂのリソースを介して端末機器によりフィードバックされたＡＣＫ／ＮＡＣＫを受信する。
【０１００】
使用すべきＡＣＫ／ＮＡＣＫ多重化送信マッピング・テーブルを、端末機器で構成されたＡＣＫ／ＮＡＣＫのビット数を用いて決定してもよい。
【０１０１】
端末機器がダウンリンクの単一の符号語送信で構成されるとき、基地局は、Ａ＝２のＬＴＥ−Ａ  Ｒｅｌ−１０のＡＣＫ／ＮＡＣＫ多重化送信マッピング・テーブルを用いて処理され、ＰＵＣＣＨフォーマット１ａ／１ｂのリソースを介して端末機器によってフィードバックされたＡＣＫ／ＮＡＣＫを受信する。
【０１０２】
端末機器がダウンリンクの多符号語送信で構成されるとき、基地局は、Ａ＝３のＬＴＥ−Ａ  Ｒｅｌ−１０のＡＣＫ／ＮＡＣＫ多重化送信マッピング・テーブルを用いて処理され、ＰＵＣＣＨフォーマット１ａ／１ｂのリソースを介して端末機器によりフィードバックされたＡＣＫ／ＮＡＣＫを受信する。
【０１０３】
基地局がフィードバック・ウィンドウにおいてＤＬ  ＤＡＩが１より大きいＰＤＣＣＨを端末機器に送信しなかったとき、基地局は、Ａ＝２またはＡ＝３のＬＴＥ−Ａ  Ｒｅｌ−１０のＡＣＫ／ＮＡＣＫ多重化送信マッピング・テーブルに従って空間バンドル化を介して処理され、ＳＰＳ  ＰＤＳＣＨおよびＤＬのＤＡＩ値が１に等しいＰＤＣＣＨに対応するＰＵＣＣＨのリソースを介して端末機器によりフィードバックされたＡＣＫ／ＮＡＣＫを受信する。
【０１０４】
基地局がフィードバック・ウィンドウにおいてＤＬ  ＤＡＩが１より大きいＰＤＣＣＨも端末機器に送信したとき、基地局は、ＡＲＩで指定されたＰＵＣＣＨフォーマット３のリソースを監視し、ＤＬ  ＤＡＩが１より大きいＰＤＣＣＨに対するＡＣＫ／ＮＡＣＫをＰＵＣＣＨフォーマット３のリソースで受信する。フィードバック情報が検出されなかった場合、ＤＬ  ＤＡＩが１より大きいＰＤＣＣＨが紛失したと判定する。
【０１０５】
例えば、ＤＬ  ＤＡＩが１より大きいＰＤＣＣＨが紛失したとき、端末機器は、ＰＤＣＣＨに対応するＰＵＣＣＨフォーマット３のリソースを決定することができず、したがって、ＡＣＫ／ＮＡＣＫを他の方法で送信してもよい。したがって、基地局がさらに、以下の手続きを実施してかかるＡＣＫ／ＮＡＣＫを受信してもよい。
【０１０６】
基地局は、空間バンドル化を介して処理され、Ａ＝２またはＡ＝３のＬＴＥ−Ａ  Ｒｅｌ−１０のＡＣＫ／ＮＡＣＫ多重化送信マッピング・テーブルに従ってＳＰＳ  ＰＤＳＣＨおよびＤＬのＤＡＩ値が１に等しいＰＤＣＣＨに対応するＰＵＣＣＨのリソースで端末機器によりフィードバックされたＡＣＫ／ＮＡＣＫを受信する。
【０１０７】
様々な例ではまた、ＳＰＳ  ＰＤＳＣＨに対して構成されたＰＵＣＣＨフォーマット３のリソースを介してＡＣＫ／ＮＡＣＫを送信する方法を提供する。
【０１０８】
基地局が端末機器に対してＳＰＳ  ＰＤＳＣＨのＰＵＣＣＨフォーマット３のリソースを構成するとき、フィードバック・ウィンドウにおいて基地局により送信されたＳＰＳ  ＰＤＳＣＨを端末機器が受信した場合、端末機器はＰＵＣＣＨフォーマット３のリソースを介してＳＰＳ  ＰＤＳＣＨに対するＡＣＫ／ＮＡＣＫを送信する。
【０１０９】
したがって、基地局がフィードバック・ウィンドウにおいてＳＰＳ  ＰＤＳＣＨを端末機器に送信したとき、基地局は、端末機器に対して構成されたＰＵＣＣＨフォーマット３のリソースを介して端末機器によって送信されたＡＣＫ／ＮＡＣＫを受信してもよい。
【０１１０】
先行技術と比べると、本発明の機構には以下のメリットがある。
【０１１１】
本発明の例で提供する機構によれば、フィードバック・ウィンドウにおいてＤＡＩ値が１に等しいＳＰＳ  ＰＤＳＣＨおよびＰＤＣＣＨのみをＵＥが受信したとき、端末機器は、チャネル選択またはＡＣＫ／ＮＡＣＫバンドル化を伴うＰＵＣＣＨフォーマット１ｂのフィードバック機構を用いてＳＰＳ  ＰＤＳＣＨおよびＰＤＣＣＨに対応するＰＵＣＣＨフォーマット１ａ／１ｂのリソースを介してＡＣＫ／ＮＡＣＫを送信する。したがって、基地局はＰＵＣＣＨフォーマット３のリソースを用いてフィードバックを構成するが、端末機器はＰＵＣＣＨフォーマット３のリソースを取得できず、当該機構はＡＣＫ／ＮＡＣＫ送信に対する解決策を提供する。
【０１１２】
本発明の諸実施形態で提供する技術的な機構を、幾つかの適用シナリオを参照することによって以下で説明する。
【０１１３】
例えば、基地局は、キャリア集約をサポートしないＲｅｌ−１０端末機器を、ＡＣＫ／ＮＡＣＫ送信に対してＰＵＣＣＨフォーマット３のリソースを使用するように構成してもよい。
【０１１４】
本例では、フィードバック・ウィンドウにおいてＳＰＳ  ＰＤＳＣＨおよびＤＬのＤＡＩ値が１に等しいＰＤＣＣＨのみを受信したＵＥに対して３つの方法が存在する。
【０１１５】
第１の方法によれば、フィードバック情報を処理するためにＡＣＫ／ＮＡＣＫバンドル化が使用される。
【０１１６】
ＵＥは、Ｒｅｌ−８  ＡＣＫ／ＮＡＣＫバンドル化機構を用いることによって、即ち、ＳＰＳ  ＰＤＳＣＨおよびＤＬのＤＡＩ値が１に等しいＰＤＣＣＨに対応するＡＣＫ／ＮＡＣＫをバンドル化することによって、フィードバックを実施してもよい。当該バンドル化は符号語の単位で行われる。即ち、同じインデックスを有する符号語に対応するＡＣＫ／ＮＡＣＫビットをバンドル化して、１ビットまたは２ビットのバンドル化情報を取得してもよい。バンドル化情報を、ＤＬのＤＡＩ値が１に等しいＰＤＣＣＨに対応するＰＵＣＣＨのリソースを介して送信してもよい。
【０１１７】
あるいは、ＵＥは、空間バンドル化を用いることによって、即ち、ＳＰＳ  ＰＤＳＣＨおよびＤＬのＤＡＩ値が１に等しいＰＤＣＣＨに対してＡＣＫ／ＮＡＣＫを空間的にバンドル化することによって、ＡＣＫ／ＮＡＣＫをバンドル化してもよい。使用すべきバンドル化機構を、必要に応じて決定してもよい。
【０１１８】
したがって、基地局で実施される処理フローが以下のようであってもよい。
【０１１９】
基地局がフィードバック・ウィンドウにおいてＤＬ  ＤＡＩが１より大きいＰＤＣＣＨを送信しなかったとき、基地局は、ＤＬのＤＡＩ値が１に等しいＰＤＣＣＨに対応するＰＵＣＣＨのリソースを介してＡＣＫ／ＮＡＣＫを受信する。
【０１２０】
基地局がフィードバック・ウィンドウにおいてＤＬ  ＤＡＩが１より大きいＰＤＣＣＨを送信したとき、基地局はＡＲＩで指定されたＰＵＣＣＨフォーマット３のリソースを監視してもよく、ＰＵＣＣＨフォーマット３のリソースを介してＡＣＫ／ＮＡＣＫを受信する。ＤＬ  ＤＡＩが１より大きいＰＤＣＣＨに対応するフィードバックがないとき、ＰＤＣＣＨが紛失したと判定する。基地局はさらに、２つのサブフレームのうち１つであり当該２つのサブフレームのうち他方の後に送信されたサブフレームに対応するＰＵＣＣＨのリソースを監視し、ＰＵＣＣＨのリソースを介してＡＣＫ／ＮＡＣＫを受信してもよい。ここで、当該２つのサブフレームは、ＳＰＳ  ＰＤＳＣＨが送信されたサブフレームと、ＤＬのＤＡＩ値が１に等しいＰＤＣＣＨが送信されたサブフレームである。
【０１２１】
第２の方法によれば、チャネル選択を伴うＰＵＣＣＨ  フォーマット１ｂをフィードバックに対して使用する。
【０１２２】
ＵＥは先ず、フィードバックすべきＡＣＫ／ＮＡＣＫを空間的にバンドル化し、決定されたチャネルを介してＡ＝２のＬＴＥ−ＡのＴＤＤマッピング・テーブル（即ち、表５）を使用することによって決定された２ビット情報、即ちｂ（０）およびｂ（１）を送信してもよい。ＨＡＲＱ−ＡＣＫ（０）はＳＰＳ  ＰＤＳＣＨに対するＡＣＫ／ＮＡＣＫであり、
【０１２３】
【数１２】
0005823025.tif 000022
【０１２４】
は、ＳＰＳ  ＰＤＳＣＨに対応するＰＵＣＣＨのリソースである。ＨＡＲＱ−ＡＣＫ（１）はＤＬのＤＡＩ値が１に等しいＰＤＣＣＨに対するＡＣＫ／ＮＡＣＫであり、
【０１２５】
【数１３】
0005823025.tif 000023
【０１２６】
は、ＤＬのＤＡＩ値が１に等しいＰＤＣＣＨに対応するＰＵＣＣＨのリソースである。ＳＰＳ  ＰＤＳＣＨに対するＤＴＸ状態がないので表５を表８の形に簡略化してもよい。
【０１２７】
様々な例では、Ａ＝２またはＡ＝３のＡＣＫ／ＮＡＣＫ多重化送信マッピング・テーブルを使用してもよい。
【０１２８】
１例では、Ａ＝２のＡＣＫ／ＮＡＣＫ多重化送信マッピング・テーブルを常に使用してもよい。
【０１２９】
例えば、Ａ＝２またはＡ＝３のＡＣＫ／ＮＡＣＫ多重化送信マッピング・テーブルを使用すべきかどうかを、端末機器に対して構成したＡＣＫ／ＮＡＣＫのビット数に基づいて判定する。
【０１３０】
例えば、端末機器がダウンリンクの単一の符号語送信を実施するように構成されるとき、Ａ＝２のＡＣＫ／ＮＡＣＫ多重化送信マッピング・テーブルが使用される。
【０１３１】
端末機器がダウンリンクの多符号語送信で構成されるとき、Ａ＝３のＡＣＫ／ＮＡＣＫ多重化送信マッピング・テーブルを使用して、送信すべき情報を決定してもよく、情報を送信するためのＰＵＣＣＨのリソースが３つのＰＵＣＣＨフォーマット１ａ／１ｂのリソースから決定される。
【０１３２】
本発明の様々な例では、ＤＬ  ＤＡＩが１に設定されたＰＤＣＣＨをＵＥが受信できなかったとき、基地局およびＵＥの認識の矛盾を解決するために各データ・パケットに対応するＨＡＲＱ−ＡＣＫの位置は制限されている。
【０１３３】
例えば、基地局はフィードバック・ウィンドウにおいてＳＰＳ  ＰＤＳＣＨおよびＤＬのＤＡＩ値が１に等しいＰＤＣＣＨを送信するが、ＵＥはＳＰＳ  ＰＤＳＣＨのみを受信する。ＵＥは、ＳＰＳ  ＰＤＳＣＨに対応するリソースを介してｄ（０）＝１（ＮＡＣＫに対応するＳＰＳ  ＰＤＳＣＨ）をフィードバックするか、または、ｄ（０）＝−１（ＡＣＫに対応するＳＰＳ  ＰＤＳＣＨ）をフィードバックしてもよい。ｄ（０）は、フィードバック情報に対応する変調信号である。
【０１３４】
基地局は依然として表８または表９におけるマッピング関係に従ってフィードバック情報を受信し、結果は以下の通りである。
【０１３５】
ｄ（０）＝１が
【０１３６】
【数１４】
0005823025.tif 000024
【０１３７】
で受信されるとき、ＳＰＳ  ＰＤＳＣＨに対するフィードバック情報はＮＡＣＫであり、ＤＬのＤＡＩ値が１に等しいＰＤＣＣＨに対するフィードバック情報はＮＡＣＫ／ＤＴＸである。
【０１３８】
ｄ（０）＝１が
【０１３９】
【数１５】
0005823025.tif 000025
【０１４０】
で受信されるとき、ＳＰＳ  ＰＤＳＣＨに対するフィードバック情報はＡＣＫであり、ＤＬのＤＡＩ値が１に等しいＰＤＣＣＨに対するフィードバック情報はＮＡＣＫ／ＤＴＸである。
【０１４１】
したがって、その結果はＵＥの受信結果と整合するものである。
【０１４２】
したがって、基地局で実施される処理フローは以下のようであってもよい。
【０１４３】
基地局がフィードバック・ウィンドウにおいてＳＰＳ  ＰＤＳＣＨおよびＤＬのＤＡＩ値が１に等しいＰＤＣＣＨを送信したとき、基地局は、表８のマッピング関係を用いることによってＳＰＳ  ＰＤＳＣＨおよびＤＬのＤＡＩ値が１に等しいＰＤＣＣＨに対応するＰＵＣＣＨを介してＡＣＫ／ＮＡＣＫを受信する。
【０１４４】
基地局がフィードバック・ウィンドウにおいてＤＡＩが１より大きいＰＤＣＣＨを送信したとき、基地局はＡＲＩで指定されたＰＵＣＣＨフォーマット３のリソースを監視してもよく、ＰＵＣＣＨフォーマット３のリソースを介してＡＣＫ／ＮＡＣＫを受信する。ＤＬ  ＤＡＩが１より大きいＰＤＣＣＨに対応するフィードバック情報が検出されなかったとき、ＰＤＣＣＨが紛失したと判定する。基地局はＳＰＳ  ＰＤＳＣＨおよびＤＬのＤＡＩ値が１に等しいＰＤＣＣＨに対応するＰＵＣＣＨのリソースを監視してもよく、表８のマッピング関係を用いることによってＰＵＣＣＨのリソースからＡＣＫ／ＮＡＣＫを受信する。
【０１４５】
第３の方法によれば、基地局はＳＰＳ  ＰＤＳＣＨに対してＰＵＣＣＨフォーマット３のリソースを構成してもよい。
【０１４６】
フィードバック・ウィンドウにおいてＳＰＳ  ＰＤＳＣＨが存在し基地局がＳＰＳ  ＰＤＳＣＨに対してＰＵＣＣＨフォーマット３のリソースを構成したとき、ＵＥは常に、ＳＰＳ  ＰＤＳＣＨに対応するＰＵＣＣＨフォーマット３のリソースを介してＡＣＫ／ＮＡＣＫを送信してもよい。
【０１４７】
したがって、基地局は、ＳＰＳ  ＰＤＳＣＨが送信されたフィードバック・ウィンドウにおいてＳＰＳ  ＰＤＳＣＨに対応するＰＵＣＣＨフォーマット３のリソースからＡＣＫ／ＮＡＣＫを受信してもよい。
【０１４８】
先行技術と比べると、本発明の機構には以下のメリットがある。
【０１４９】
本発明の例で提供する機構によれば、フィードバック・ウィンドウにおいてＤＡＩ値が１に等しいＳＰＳ  ＰＤＳＣＨおよびＰＤＣＣＨのみをＵＥが受信したとき、端末機器はチャネル選択またはＡＣＫ／ＮＡＣＫバンドル化を伴うＰＵＣＣＨフォーマット１ｂのフィードバック機構を用いてＳＰＳ  ＰＤＳＣＨおよびＰＤＣＣＨに対応するＰＵＣＣＨフォーマット１ａ／１ｂのリソースを介してＡＣＫ／ＮＡＣＫを送信する。したがって、基地局がＰＵＣＣＨフォーマット３のリソースを用いてフィードバックを構成するが端末機器がＰＵＣＣＨフォーマット３のリソースを取得できないとき、当該機構によりＡＣＫ／ＮＡＣＫ送信に対する解決策がもたらされる。
【０１５０】
本発明の様々な例ではまた、上記方法に対応する装置を提供する。ブロックＳ３０１からブロックＳ３０３に対応して、端末装置が提供される。図５は、端末機器の構造を示す概略図である。当該端末機器は以下のコンポーネントを備えることができる。
【０１５１】
受信モジュール５１は、基地局が送信した情報を受信するように構成される。
【０１５２】
処理モジュール５２は、受信モジュール５１がフィードバック・ウィンドウにおいて基地局により送信されたＳＰＳ  ＰＤＳＣＨおよびＤＬのＤＡＩ値が１に等しいＰＤＣＣＨのみを受信したとき、チャネル選択またはＡＣＫ／ＮＡＣＫバンドル化を伴うＰＵＣＣＨフォーマット１ｂのフィードバック機構を用いることによって、受信した情報を処理するように構成される。
【０１５３】
送信モジュール５３は、ＰＵＣＣＨフォーマット１ａ／１ｂのリソースを介して処理モジュール５２によりバンドル化されたＡＣＫ／ＮＡＣＫを送信するように構成される。
【０１５４】
例えば、処理モジュール５２は、ＬＴＥ−ＡのＡＣＫ／ＮＡＣＫ多重化送信マッピング・テーブルを用いることによって送信すべき情報を決定し、当該情報を送信するためのＰＵＣＣＨのリソースを複数のＰＵＣＣＨフォーマット１ａ／１ｂのリソースから決定し、
または、
ＳＰＳ  ＰＤＳＣＨおよびＤＬのＤＡＩ値が１に等しいＰＤＣＣＨにおいて同じインデックスを有する符号語のＡＣＫ／ＮＡＣＫをバンドルし、
または、
ＳＰＳ  ＰＤＳＣＨおよびＤＬのＤＡＩ値が１に等しいＰＤＣＣＨに対するＡＣＫ／ＮＡＣＫを空間的にバンドルしてもよい。
【０１５５】
したがって、送信モジュール５３は、
処理モジュール５２がチャネル選択を伴うＰＵＣＣＨフォーマット１ｂを使用するときは、処理モジュール５２により決定されたＰＵＣＣＨのリソースを介して情報を送信し、
または、
処理モジュール５２がＡＣＫ／ＮＡＣＫバンドル化を使用するときは、ＤＬのＤＡＩ値が１に等しいＰＤＣＣＨに対応するＰＵＣＣＨフォーマット１ａ／１ｂのリソースを介して、バンドル化された情報を送信してもよい。
【０１５６】
例えば、処理モジュール５２は、
端末機器がダウンリンクの単一の符号語送信で構成されているときは、Ａ＝２のＬＴＥ−Ａ  Ｒｅｌ−１０のＡＣＫ／ＮＡＣＫ多重化送信マッピング・テーブルを使用し、
端末機器がダウンリンクの多符号語送信で構成されているときは、Ａ＝３のＬＴＥ−Ａ  Ｒｅｌ−１０のＡＣＫ／ＮＡＣＫ多重化送信マッピング・テーブルを使用してもよい。
【０１５７】
例えば、処理モジュール５２は、
全ての状況に対してＡ＝２のＬＴＥ−Ａ  Ｒｅｌ−１０のＡＣＫ／ＮＡＣＫ多重化送信マッピング・テーブルを使用し、
端末機器がダウンリンクの多符号語送信で構成されているときは、空間バンドル化を通じて２ビットでバンドル化されたＡＣＫ／ＮＡＣＫを生成してもよい。
【０１５８】
ブロックＳ４０１乃至ブロックＳ４０３に対応して、基地局が提供される。図６は、基地局の構造を示す概略図である。基地局は以下のコンポーネントを備えてもよい。
【０１５９】
送信モジュール６１は、情報を端末機器に送信するように構成される。
【０１６０】
受信モジュール６２は、ＳＰＳ  ＰＤＳＣＨおよびＤＬのＤＡＩ値が１に等しいＰＤＣＣＨを送信モジュール６１が端末機器に送信したとき、端末機器によりフィードバックされ、チャネル選択を伴うＰＵＣＣＨフォーマット１ｂを介してまたはＡＣＫ／ＮＡＣＫバンドル化を介してＰＵＣＣＨフォーマット１ａ／１ｂのリソースから処理されたＡＣＫ／ＮＡＣＫを受信するように構成される。
【０１６１】
例えば、受信モジュール６２は、
送信モジュール６１がフィードバック・ウィンドウにおいてＤＬ  ＤＡＩが１より大きいＰＤＣＣＨを端末機器に送信しなかったとき、ＡＣＫ／ＮＡＣＫバンドル化を介して処理され、ＤＬのＤＡＩ値が１に等しいＰＤＣＣＨに対応するＰＵＣＣＨフォーマット１ａ／１ｂのリソースを介して端末機器によりフィードバックされたＡＣＫ／ＮＡＣＫを受信し基地局がフィードバック・ウィンドウにおいてＤＬ  ＤＡＩが１より大きいＰＤＣＣＨも端末装置に送信したとき、ＡＲＩで指定されたＰＵＣＣＨフォーマット３のリソースを監視し、ＡＣＫ／ＮＡＣＫバンドル化を介して処理され、端末機器によってフィードバックされたＡＣＫ／ＮＡＣＫと、ＤＬ  ＤＡＩが１より大きいＰＤＣＣＨに対するＡＣＫ／ＮＡＣＫとを、ＰＵＣＣＨフォーマット３のリソースを介して受信し、フィードバック情報が検出されなかった場合には、ＤＬ  ＤＡＩが１より大きいＰＤＣＣＨが紛失したと判定してもよい。
【０１６２】
例えば、受信モジュール６２は、
ＤＬ  ＤＡＩが１より大きいＰＤＣＣＨが紛失したとの判定に応答して、ＳＰＳ  ＰＤＳＣＨが送信されたサブフレームとＤＬのＤＡＩ値が１に等しいＰＤＣＣＨが送信されたサブフレームとの間で最後に送信されたサブフレームに対応するＰＵＣＣＨのリソースを監視し、ＡＣＫ／ＮＡＣＫバンドル化を介して処理され端末機器によりＰＵＣＣＨリソースからフィードバックされたＡＣＫ／ＮＡＣＫを受信してもよい。
【０１６３】
例えば、受信モジュール６２は、
フィードバック・ウィンドウにおいてＤＬ  ＤＡＩが１より大きいＰＤＣＣＨを送信モジュール６１が端末機器に送信しなかったとき、ＬＴＥ−Ａ  Ｒｅｌ−１０のＡＣＫ／ＮＡＣＫ多重化送信マッピング・テーブルに従って端末機器に送信されたＳＰＳ  ＰＤＳＣＨおよびＤＬのＤＡＩ値が１に等しいＰＤＣＣＨに対応するＰＵＣＣＨのリソースを介して、チャネル選択を伴うＰＵＣＣＨフォーマット１ｂを介して処理され端末機器によりフィードバックされたＡＣＫ／ＮＡＣＫを受信し、
フィードバック・ウィンドウにおいてＤＬ  ＤＡＩが１より大きいＰＤＣＣＨも送信モジュール６１が端末機器に送信したとき、ＡＲＩで指定されたＰＵＣＣＨフォーマット３のリソースを監視し、ＤＬ  ＤＡＩが１より大きいＰＤＣＣＨに対するＡＣＫ／ＮＡＣＫを、ＰＵＣＣＨフォーマット３のリソースを介して受信し、フィードバック情報が検出されなかったときＤＬ  ＤＡＩが１より大きいＰＤＣＣＨが紛失したと判定してもよい。
【０１６４】
例えば、受信モジュール６２は、ＤＬ  ＤＡＩが１より大きいＰＤＣＣＨが紛失したとの判定に応答して、ＬＴＥ−ＡのＡＣＫ／ＮＡＣＫ多重化送信マッピング・テーブルに従って端末機器に送信されたＳＰＳ  ＰＤＳＣＨおよびＤＬのＤＡＩ値が１に等しいＰＤＣＣＨに対応するＰＵＣＣＨのリソースを介して、チャネル選択を伴うＰＵＣＣＨフォーマット１ｂを介して処理され端末機器によりフィードバックされたＡＣＫ／ＮＡＣＫを受信してもよい。
【０１６５】
ＳＰＳ  ＰＤＳＣＨに対してＰＵＣＣＨフォーマット３のリソースを構成するＡＣＫ／ＮＡＣＫを送信するための方法に対応して、本発明の様々な例では端末機器も提供する。図７は、本発明の１例に従う端末機器の構造を示す概略図である。当該端末機器は以下のコンポーネントを備えてもよい。
【０１６６】
受信モジュール７１は、基地局が送信した情報を受信するように構成される。
【０１６７】
送信モジュール７２は、受信モジュール７１がフィードバック・ウィンドウにおいて基地局により送信されたＳＰＳ  ＰＤＳＣＨを受信したとき、ＰＵＣＣＨフォーマット３のリソースを介してＡＣＫ／ＮＡＣＫを送信するように構成される。
【０１６８】
受信モジュール７１はさらに、基地局が送信したＰＵＣＣＨフォーマット３のリソースを構成するための命令を受信してもよい。
【０１６９】
したがって、様々な例では基地局を提供する。図８は、本発明の１例に従う基地局の構造を示す概略図である。基地局は以下のコンポーネントを備えてもよい。
【０１７０】
構成モジュール８１は、端末機器に対してＰＵＣＣＨフォーマット３のリソースを構成するように構成される。
【０１７１】
送信モジュール８２は、情報を端末機器に送信するように構成される。
【０１７２】
受信モジュール８３は、送信モジュール８２がフィードバック・ウィンドウにおいてＳＰＳ  ＰＤＳＣＨを端末機器に送信したときに、構成モジュール８１によって端末機器に対して構成されたＰＵＣＣＨフォーマット３のリソースを介して端末機器により送信されたＡＣＫ／ＮＡＣＫを受信するように構成される。
【０１７３】
先行技術と比べると、本発明の機構には以下のメリットがある。
【０１７４】
本発明の例で提供する機構によれば、ＵＥがフィードバック・ウィンドウにおいてＤＡＩ値が１に等しいＳＰＳ  ＰＤＳＣＨおよびＰＤＣＣＨのみを受信したとき、端末機器は、チャネル選択またはＡＣＫ／ＮＡＣＫバンドル化を伴うＰＵＣＣＨフォーマット１ｂのフィードバック機構を用いて、ＳＰＳ  ＰＤＳＣＨおよびＰＤＣＣＨに対応するＰＵＣＣＨフォーマット１ａ／１ｂのリソースを介してＡＣＫ／ＮＡＣＫを送信する。したがって、基地局がＰＵＣＣＨフォーマット３のリソースを用いてフィードバックを構成するが端末機器がＰＵＣＣＨフォーマット３のリソースを取得できないとき、当該機構によりＡＣＫ／ＮＡＣＫ送信に対する解決策がもたらされる。
【０１７５】
以上の説明を通して、本発明の諸実施形態をハードウェアによって、または、ソフトウェアとともに汎用目的ハードウェア・プラットフォームによって実装できることは当業者には理解されよう。したがって、当該諸実施形態により提供される技術的な機構が、ソフトウェア製品の形であってもよい。当該ソフトウェア製品を非一時的な記憶媒体（例えば、ＣＤ−ＲＯＭ、フラッシュ・ディスク、モバイル・ハード・ディスク、等）に格納してもよく、当該ソフトウェア製品は、様々な適用シナリオに関して本発明の諸実施形態により提供した方法をコンピュータ（例えば、ＰＣ、サーバ、ネットワーク装置等）に実行させる幾つかの命令を含む。
【０１７６】
図面の各々は１実施形態の概略図にすぎず、図面のモジュールおよび手続きの全てが本発明を実装するために必要であるわけではないことは当業者には理解される。
【０１７７】
本発明の諸実施形態の装置内のモジュールを諸実施形態で説明した装置内に配置してもよく、または、必要に応じて修正するときは本発明の諸実施形態の１つまたは複数の装置に配置してもよい。本発明の諸実施形態におけるモジュールを、１つのモジュールに結合してもよく、または、複数のサブ・モジュールにさらに分割してもよい。
【０１７８】
諸実施形態のインデックス番号は説明を容易にするためのものにすぎず、諸実施形態の好適な順序を代表するものと解釈すべきではない。
【０１７９】
以上は本発明の幾つかの実施形態にすぎない。しかし、本発明の保護範囲は以上の説明には限定されない。本発明で開示した範囲内にあり当業者が容易に想到できる任意の変更または置換えは本発明の保護範囲により網羅されるべきである。
【符号の説明】
【０１８０】
５１  受信モジュール
５２  処理モジュール
５３  送信モジュール
【図１】
0005823025.tif 000046
【図２】
0005823025.tif 000047
【図３】
0005823025.tif 000048
【図４】
0005823025.tif 000049
【図５】
0005823025.tif 000050
【図６】
0005823025.tif 000051
【図７】
0005823025.tif 000052
【図８】
0005823025.tif 000053